(57)【特許請求の範囲】
【請求項１】
内部を２つの混合室に隔てる変位可能な隔壁を有し、前記各混合室において透析原液と希釈液を混合可能な混合槽と、
希釈液の供給源から前記混合槽の各混合室に通じる第１の液体ラインと、
前記混合槽の各混合室から透析液の供給先に通じる第２の液体ラインと、
内部を２つの貯留室に隔てる変位可能な隔壁を有し、前記各貯留室に透析原液を貯留可能な透析原液貯留槽と、
透析原液の供給源から前記透析原液貯留槽の各貯留室に通じる第３の液体ラインと、
前記透析原液貯留槽の各貯留室から前記第１の液体ラインに通じる第４の液体ラインと、
前記第１の液体ラインと前記第４の液体ラインとの接続部に設けられたアスピレータと、
前記第１の液体ラインにおいて、前記混合槽のいずれかの混合室に選択的に前記透析原液と前記希釈液を供給可能にする第１のライン切り替え手段と、
前記第２の液体ラインにおいて、前記混合槽のいずれかの混合室の透析液を選択的に前記透析液の供給先に供給可能にする第２のライン切り替え手段と、
前記第３の液体ラインにおいて、前記透析原液貯留槽のいずれかの貯留室に選択的に前記透析原液を供給可能にする第３のライン切り替え手段と、
前記第４の液体ラインにおいて、前記透析原液貯留槽のいずれかの貯留室の透析原液を選択的に前記アスピレータに供給可能にする第４のライン切り替え手段と、
前記第４の液体ラインにおいて前記透析原液貯留槽側への逆流を防止する逆止弁と、
を有する、透析液生成装置。
【請求項２】
前記第１の液体ラインに対し透析原液を供給する、前記第３の液体ライン、前記透析原液貯留槽、前記第４の液体ライン及び前記アスピレータを有する系を複数有している、請求項１に記載の透析液生成装置。
【請求項３】
請求項１又は２に記載の透析液生成装置を備えた血液透析装置。
【請求項４】
請求項１に記載の透析液生成装置を用いて行われる透析液の生成方法であって、
希釈液の供給源から第１の液体ラインを通じて混合槽の一の混合室に希釈液を供給しつつ、アスピレータにより透析原液貯留槽の一の貯留室の透析原液を吸引し、当該透析原液を、第４の液体ライン及び第１の液体ラインを通じて前記混合槽の一の混合室に供給して、当該一の混合室において前記希釈液と前記透析原液を混合し、その際に、前記透析原液貯留槽では、前記一の貯留室からの前記透析原液の排出により前記透析原液貯留槽の隔壁が一の貯留室側に変位し、透析原液の供給源から他の貯留室に透析原液が供給され、前記混合槽では、前記一の混合室への前記希釈液と前記透析原液の供給により前記混合槽の隔壁が前記他の混合室側に変位し、当該他の混合室の透析液が第２の液体ラインを通じて透析液の供給先に供給される第１の工程と、
希釈液の供給源から第１の液体ラインを通じて前記混合槽の他の混合室に希釈液を供給しつつ、アスピレータにより前記透析原液貯留槽の他の貯留室の透析原液を吸引し、当該透析原液を、第４の液体ライン及び第１の液体ラインを通じて前記混合槽の他の混合室に供給して、当該他の混合室において前記希釈液と前記透析原液を混合し、その際に、前記透析原液貯留槽では、前記他の貯留室からの前記透析原液の排出により前記透析原液貯留槽の隔壁が他の貯留室側に変位し、透析原液の供給源から一の貯留室に透析原液が供給され、前記混合槽では、前記他の混合室への前記希釈液と前記透析原液の供給により前記混合槽の隔壁が前記一の混合室側に変位し、当該一の混合室の透析液が第２の液体ラインを通じて透析液の供給先に供給される第２の工程と、を有し、
前記第1の工程と前記第２の工程が交互に行われる、透析液の生成方法。
【請求項５】
請求項２に記載の透析液生成装置を用いて行われる透析液の生成方法であって、
第３の液体ライン、透析原液貯留槽、第４の液体ライン及びアスピレータを有する複数の各系について、
希釈液の供給源から第１の液体ラインを通じて混合槽の一の混合室に希釈液を供給しつつ、アスピレータにより透析原液貯留槽の一の貯留室の透析原液を吸引し、当該透析原液を、第４の液体ライン及び第１の液体ラインを通じて前記混合槽の一の混合室に供給して、当該一の混合室において前記希釈液と前記透析原液を混合し、その際に、前記透析原液貯留槽では、前記一の貯留室からの前記透析原液の排出により前記透析原液貯留槽の隔壁が一の貯留室側に変位し、透析原液の供給源から他の貯留室に透析原液が供給され、前記混合槽では、前記一の混合室への前記希釈液と前記透析原液の供給により前記混合槽の隔壁が前記他の混合室側に変位し、当該他の混合室の透析液が第２の液体ラインを通じて透析液の供給先に供給される第１の工程と、
希釈液の供給源から第１の液体ラインを通じて前記混合槽の他の混合室に希釈液を供給しつつ、アスピレータにより前記透析原液貯留槽の他の貯留室の透析原液を吸引し、当該透析原液を、第４の液体ライン及び第１の液体ラインを通じて前記混合槽の他の混合室に供給して、当該他の混合室において前記希釈液と前記透析原液を混合し、その際に、前記透析原液貯留槽では、前記他の貯留室からの前記透析原液の排出により前記透析原液貯留槽の隔壁が他の貯留室側に変位し、透析原液の供給源から一の貯留室に透析原液が供給され、前記混合槽では、前記他の混合室への前記希釈液と前記透析原液の供給により前記混合槽の隔壁が前記一の混合室側に変位し、当該一の混合室の透析液が第２の液体ラインを通じて透析液の供給先に供給される第２の工程と、が交互に行われ、
前記各系の前記第１の工程における前記透析原液貯留槽の一の貯留室から前記混合槽の一の混合室への透析原液の供給が順次行われて、前記一の混合室に各系の透析原液と希釈液からなる透析液が生成され、
前記各系の前記第２の工程における前記透析貯留槽の他の貯留室から前記混合槽の他の混合室への透析原液の供給が順次行われて、前記他の混合室に各系の透析原液と希釈液からなる透析液が生成される、透析液の生成方法。
【発明の詳細な説明】
【技術分野】
【０００１】
本発明は、透析液生成装置、血液透析装置及び透析液の生成方法に関する。
【背景技術】
【０００２】
血液透析で用いられる透析液は、透析原液と希釈液とを混合させて生成される。この透析液の生成は、通常透析液生成装置で行われ、例えば定量ポンプを用いて透析原液と希釈液を所定の比率で混合槽に送ることにより、透析液を生成していた。
【０００３】
ところで、透析液の成分濃度は、患者への透析に影響するため、安定した高い精度の濃度の透析液を生成する必要がある。そこで、例えば特許文献１には、濃厚透析液と希釈液を混合する混合容器と、当該混合容器に接続された希釈液供給ライン及び濃厚透析液供給ラインと、可動隔壁によって２室に仕切られた定容量容器と、希釈液供給ラインに接続された絞り弁、陰圧ポンプ等を有し、定容量容器の一方の室が、希釈液供給ラインの絞り弁の上流と下流に接続され、定容量容器の他方の室が、混合容器と濃厚透析液供給ラインの濃厚透析液容器に切り替え可能に接続されている、透析液調整装置が提案されている（特許文献１参照）。この透析液調整装置では、定容量容器の一方の室に一旦貯留された希釈液と、定容量容器の他方の室に一旦貯留された濃厚透析液が、混合容器に供給されるので、混合容器において透析液を正確な比率で調整することができる。
【先行技術文献】
【特許文献】
【０００４】
【特許文献１】特許第３１９８４９５号公報
【発明の概要】
【発明が解決しようとする課題】
【０００５】
しかしながら、上述の透析液調整装置では、定容量容器の一方の室に対する希釈液の出し入れにより、他方の室から混合容器への透析原液の供給の制御を行っている。つまり、希釈液の出し入れを制御して、透析原液の計量と送液が行われている。これを実現するために、希釈液供給ラインには、定容量容器に通じる専用の送液ラインや、陰圧ポンプ等が必要になる。また、希釈液供給ラインにおける希釈液の供給量や、定容量容器に対する希釈液の出し入れ等を制御するために圧力感知手段や絞り弁が必要となる。このように、上記透析液調整装置では、透析原液の計量や送液を、定容量容器に希釈液を出し入れする機構を用いて行うため、絞り弁や陰圧ポンプなど多数の部材や多数の送液ラインが必要になっている。この結果、装置構成が複雑になり、その制御も複雑なっている。装置構成や装置制御の複雑化は、システムの大型化や製造コストの増大といった問題を生じる。また、陰圧ポンプを使用は、透析液の溶存物質の析出という問題も生じる。
【０００６】
本発明は、かかる点に鑑みてなされたものであり、簡単な装置構成や装置制御で、高精度に調整された濃度の透析液を生成できる透析液生成装置、血液透析装置及び透析液の生成方法を提供することをその目的とする。
【課題を解決するための手段】
【０００７】
本発明者は、鋭意研究の結果、上述したような透析原液の供給のために定容量容器に希釈液を出し入れする機構を用いることなく、簡単な装置構成や装置制御で、濃度精度の高い透析液を生成できる装置及び方法を発明するに至った。
即ち、本発明は、内部を２つの混合室に隔てる変位可能な隔壁を有し、前記各混合室において透析原液と希釈液を混合可能な混合槽と、希釈液の供給源から前記混合槽の各混合室に通じる第１の液体ラインと、前記混合槽の各混合室から透析液の供給先に通じる第２の液体ラインと、内部を２つの貯留室に隔てる変位可能な隔壁を有し、前記各貯留室に透析原液を貯留可能な透析原液貯留槽と、透析原液の供給源から前記透析原液貯留槽の各貯留室に通じる第３の液体ラインと、前記透析原液貯留槽の各貯留室から前記第１の液体ラインに通じる第４の液体ラインと、前記第１の液体ラインと前記第４の液体ラインとの接続部に設けられたアスピレータと、前記第１の液体ラインにおいて、前記混合槽のいずれかの混合室に選択的に前記透析原液と前記希釈液を供給可能にする第１のライン切り替え手段と、前記第２の液体ラインにおいて、前記混合槽のいずれかの混合室の透析液を選択的に前記透析液の供給先に供給可能にする第２のライン切り替え手段と、前記第３の液体ラインにおいて、前記透析原液貯留槽のいずれかの貯留室に選択的に前記透析原液を供給可能にする第３のライン切り替え手段と、前記第４の液体ラインにおいて、前記透析原液貯留槽のいずれかの貯留室の透析原液を選択的に前記アスピレータに供給可能にする第４のライン切り替え手段と、前記第４の液体ラインにおいて前記透析原液貯留槽側への逆流を防止する逆止弁と、を有する透析液生成装置である。
【０００８】
本発明によれば、透析原液貯留槽の貯留室に貯留された一定量の透析原液と、希釈液供給源から供給される希釈液が、最大容積が一定の混合槽の混合室に供給されて混合されるので、高精度に調整された濃度の透析液を生成できる。また、透析原液貯留槽の透析原液をアスピレータにより混合槽に供給できるので、送液ライン上に陰圧ポンプ等を設ける必要がなく、構成が簡単で、複雑な制御も必要ない。したがって、簡単な装置構成及び装置制御で、所望の濃度の透析液を高精度に生成することができる。また、陰圧ポンプを用いないので、透析液の溶存物質の析出といった問題もない。
【０００９】
上記透析液生成装置は、前記第１の液体ラインに対し透析原液を供給する、前記第３の液体ライン、前記透析原液貯留槽、前記第４の液体ライン及び前記アスピレータを有する系を複数有していてもよい。
【００１０】
また、別の観点による本発明によれば、上記いずれかに記載の透析液生成装置を備えた血液透析装置が提供される。
【００１１】
別の観点による本発明は、上記透析液生成装置を用いて行われる透析液の生成方法であって、希釈液の供給源から第１の液体ラインを通じて混合槽の一の混合室に希釈液を供給しつつ、アスピレータにより透析原液貯留槽の一の貯留室の透析原液を吸引し、当該透析原液を、第４の液体ライン及び第１の液体ラインを通じて前記混合槽の一の混合室に供給して、当該一の混合室において前記希釈液と前記透析原液を混合し、その際に、前記透析原液貯留槽では、前記一の貯留室からの前記透析原液の排出により前記透析原液貯留槽の隔壁が一の貯留室側に変位し、透析原液の供給源から他の貯留室に透析原液が供給され、前記混合槽では、前記一の混合室への前記希釈液と前記透析原液の供給により前記混合槽の隔壁が前記他の混合室側に変位し、当該他の混合室の透析液が第２の液体ラインを通じて透析液の供給先に供給される第１の工程と、希釈液の供給源から第１の液体ラインを通じて前記混合槽の他の混合室に希釈液を供給しつつ、アスピレータにより前記透析原液貯留槽の他の貯留室の透析原液を吸引し、当該透析原液を、第４の液体ライン及び第１の液体ラインを通じて前記混合槽の他の混合室に供給して、当該他の混合室において前記希釈液と前記透析原液を混合し、その際に、前記透析原液貯留槽では、前記他の貯留室からの前記透析原液の排出により前記透析原液貯留槽の隔壁が他の貯留室側に変位し、透析原液の供給源から一の貯留室に透析原液が供給され、前記混合槽では、前記他の混合室への前記希釈液と前記透析原液の供給により前記混合槽の隔壁が前記一の混合室側に変位し、当該一の混合室の透析液が第２の液体ラインを通じて透析液の供給先に供給される第２の工程と、を有し、前記第1の工程と前記第２の工程が交互に行われる。
【００１２】
本発明によれば、第１の工程と第２の工程が交互に行われるので、高精度の濃度の透析液の生成が連続的に行われ、透析液の生成が効率的に行われる。
【００１３】
別の観点による本発明は、上記の第３の液体ライン、透析原液貯留槽、第４の液体ライン及びアスピレータを有する系を複数有する透析液生成装置を用いて行われる透析液の生成方法であって、第３の液体ライン、透析原液貯留槽、第４の液体ライン及びアスピレータを有する複数の各系について、希釈液の供給源から第１の液体ラインを通じて混合槽の一の混合室に希釈液を供給しつつ、アスピレータにより透析原液貯留槽の一の貯留室の透析原液を吸引し、当該透析原液を、第４の液体ライン及び第１の液体ラインを通じて前記混合槽の一の混合室に供給して、当該一の混合室において前記希釈液と前記透析原液を混合し、その際に、前記透析原液貯留槽では、前記一の貯留室からの前記透析原液の排出により前記透析原液貯留槽の隔壁が一の貯留室側に変位し、透析原液の供給源から他の貯留室に透析原液が供給され、前記混合槽では、前記一の混合室への前記希釈液と前記透析原液の供給により前記混合槽の隔壁が前記他の混合室側に変位し、当該他の混合室の透析液が第２の液体ラインを通じて透析液の供給先に供給される第１の工程と、希釈液の供給源から第１の液体ラインを通じて前記混合槽の他の混合室に希釈液を供給しつつ、アスピレータにより前記透析原液貯留槽の他の貯留室の透析原液を吸引し、当該透析原液を、第４の液体ライン及び第１の液体ラインを通じて前記混合槽の他の混合室に供給して、当該他の混合室において前記希釈液と前記透析原液を混合し、その際に、前記透析原液貯留槽では、前記他の貯留室からの前記透析原液の排出により前記透析原液貯留槽の隔壁が他の貯留室側に変位し、透析原液の供給源から一の貯留室に透析原液が供給され、前記混合槽では、前記他の混合室への前記希釈液と前記透析原液の供給により前記混合槽の隔壁が前記一の混合室側に変位し、当該一の混合室の透析液が第２の液体ラインを通じて透析液の供給先に供給される第２の工程と、が交互に行われ、前記各系の前記第１の工程における前記透析原液貯留槽の一の貯留室から前記混合槽の一の混合室への透析原液の供給が順次行われて、前記一の混合室に各系の透析原液と希釈液からなる透析液が生成され、前記各系の前記第２の工程における前記透析貯留槽の他の貯留室から前記混合槽の他の混合室への透析原液の供給が順次行われて、前記他の混合室に各系の透析原液と希釈液からなる透析液が生成される。
【００１４】
本発明によれば、各系について第１の工程と第２の工程が交互に行われるので、高精度の濃度の透析液の生成が連続的に行われ、透析液の生成が効率的に行われる。また、複数の系の第１の工程と第２の工程における透析原液貯留槽から前記混合槽への透析原液の供給が、一つの各ずつ順次行われるので、各系の透析原液が濃度の高い状態で互いに混ざることがなく、透析原液同士の反応を防止できる。したがって、より安定した透析液を生成できる。
【発明の効果】
【００１５】
本発明によれば、簡単な装置構成及び装置制御で、高精度に調整された濃度の透析液を生成できるので、例えば透析液生成装置の小型化や製造コストの低減を図ることができる。
【図面の簡単な説明】
【００１６】
【図１】透析液生成装置の構成の概略を示す模式図である。
【図２】血液透析装置の構成の概略を示す模式図である。
【図３】初期状態の透析液生成装置を示す模式図である。
【図４】一の混合室に透析原液と希釈液を供給する際の透析液生成装置を示す模式図である。
【図５】一の混合室に透析液が満たされた状態の透析液生成装置を示す模式図である。
【図６】他の混合室に透析原液と希釈液を供給する際の透析液生成装置を示す模式図である。
【図７】他の混合室に透析液が満たされた状態の透析液生成装置を示す模式図である。
【図８】透析原液を供給する二つの系を有する透析液生成装置を示す模式図である。
【発明を実施するための形態】
【００１７】
以下、図面を参照して、本発明の好ましい実施の形態について説明する。図１は、本実施の形態に係る透析液生成装置１の構成の概略を示す説明図である。
【００１８】
透析液生成装置１は、例えば混合槽１０、第１の液体ライン１１、第２の液体ライン１２、透析原液貯留槽１３、第３の液体ライン１４、第４の液体ライン１５、アスピレータ１６等を有している。
【００１９】
混合槽１０は、一定容積の内部を２つの混合室１０ａ、１０ｂに隔てる変位可能な隔壁２０を有しており、各混合室１０ａ、１０ｂにおいて、透析原液と希釈液を混合できる。隔壁２０は、例えばダイアフラムなどにより構成されている。隔壁２０は、混合槽１０の内部の中央に設けられ、混合室１０ａ、１０ｂは、対称になる。混合室１０ａと混合室１０ｂは、内圧により隔壁２０が変位して容積が変動し、一方の容積が大きくなると他方の容積が小さくなる。
【００２０】
第１の液体ライン１１は、希釈液供給源３０から、混合槽１０の各混合室１０ａ、１０ｂに通じている。第１の液体ライン１１は、途中の分岐部Ａより下流側が２つのライン１１ａ、１１ｂに分岐しており、ライン１１ａが混合槽１０の混合室１０ａに通じ、ライン１１ｂが混合室１０ｂに通じている。第１の液体ライン１１のライン１１ａ、１１ｂには、第１のライン切り替え手段としての開閉弁３１、３２が設けられている。この開閉弁３１、３２により、混合槽１０のいずれかの混合室１０ａ、１０ｂに選択的に透析原液と希釈液を供給することができる。
【００２１】
第２の液体ライン１２は、混合槽１０の各混合室１０ａ、１０ｂから透析液の供給先である後述の血液透析装置１００の透析器１０１に通じている。混合室１０ａ、１０ｂには、第２の液体ライン１２のライン１２ａ、１２ｂが接続され、途中の合流部Ｂで合流し、透析器１０１のある下流に通じている。第２の液体ライン１２のライン１２ａ、１２ｂには、第２のライン切り替え手段としての開閉弁４０、４１が設けられている。この開閉弁４０、４１により、混合槽１０のいずれかの混合室１０ａ、１０ｂの透析液を選択的に透析器１０１側に供給できる。
【００２２】
透析原液貯留槽１３は、例えば一定容積の内部を２つの貯留室１３ａ、１３ｂに隔てる変位可能な隔壁５０を有しており、各貯留室１３ａ、１３ｂに透析原液を貯留できる。隔壁５０は、例えばダイアフラムなどにより構成されている。隔壁５０は、透析原液貯留槽１３の内部の中央に設けられ、貯留室１３ａ、１３ｂは、対称になる。貯留室１３ａと貯留室１３ｂは、内圧により隔壁５０が変位して容積が変動し、一方の容積が大きくなると他方の容積が小さくなる。
【００２３】
第３の液体ライン１４は、透析原液の供給源６０から、透析原液貯留槽１３の各貯留室１３ａ、１３ｂに通じている。第３の液体ライン１４は、途中の分岐部Ｃより下流側が２つのライン１４ａ、１４ｂに分岐しており、ライン１４ａが透析原液貯留槽１３の貯留室１３ａに通じ、ライン１４ｂが貯留室１３ｂに通じている。第３の液体ライン１４のライン１４ａ、１４ｂには、第３のライン切り替え手段としての開閉弁６１、６２が設けられている。この開閉弁６１、６２により、透析原液貯留槽１３のいずれかの貯留室１３ａ、１３ｂに選択的に透析原液を供給することができる。
【００２４】
第４の液体ライン１５は、透析原液貯留槽１３の各貯留室１３ａ、１３ｂから第１の液体ライン１１に通じている。貯留室１３ａ、１３ｂには、第４の液体ライン１５のライン１５ａ、１５ｂが接続され、途中の合流部Ｄで合流し、第１の液体ライン１１のアスピレータ１６に通じている。第４の液体ライン１５のライン１５ａ、１５ｂには、第４のライン切り替え手段としての開閉弁７０、７１が設けられている。この開閉弁７０、７１により、透析原液貯留槽１３のいずれかの貯留室１３ａ、１３ｂの透析原液を選択的に第１の液体ライン１１に供給できる。また、第４の液体ライン１５の合流部Ｄより下流側には、透析原液貯留槽１３側への逆流を防止する逆止弁７２が設けられている。
【００２５】
アスピレータ１６は、第１の液体ライン１１と第４の液体ライン１５との接続部Ｅに設けられている。このアスピレータ１６は、希釈液供給源３０から混合槽１０に第１の液体ライン１１を通じて希釈液が供給された際に負圧を生じさせて、第４の液体ライン１５を通じて透析原液貯留槽１３の透析原液を吸引し、当該透析原液を、透析原液貯留槽１３から第４の液体ライン１５、アスピレータ１６及び第１の液体ライン１１を通じて混合槽１０に供給できる。
【００２６】
上記希釈液供給源３０、透析原液供給源６０、開閉弁３１、３２、４０、４１、６１、６２、７０、７１などの動作は、例えば制御装置９０により制御されている。制御装置９０は、例えばコンピュータであり、メモリに記憶された所定のプログラムを実行することによって、透析液生成装置１を制御できる。
【００２７】
第２の液体ライン１２は、例えば図２に示すように透析液の供給先である血液透析装置１００の透析器１０１に連通している。透析器１０１は、例えば中空糸膜を内蔵した中空糸モジュールであり、内部の中空糸膜の一次側１０１ａに患者の血液を通過させつつ、二次側１０１ｂに透析液を通過させ、一次側１０１ａの血液の不要成分を膜を通じて二次側１０１ｂに透過させて血液を透析することができる。第２の液体ライン１２は、例えば透析器１０１の二次側１０１ｂに通じている。また、透析器１０１の二次側１０１ｂには、透析廃液の排出ライン１０２が接続されている。また、透析器１０１の一次側１０１ａには、患者の血液を透析器１０１に供給する第１の血液回路１０３と、透析された血液を患者に戻す第２の血液回路１０４が接続されている。
【００２８】
次に、以上のように構成された透析液生成装置１を用いて行われる透析液の生成方法について説明する。
【００２９】
例えば図３に示したように混合槽１０の混合室１０ｂに透析液が満たされ、透析原液貯留槽１３の貯留室１３ａに透析原液が満たされ、総ての開閉弁３１、３２、４０、４１、６１、６２、７０、７１が閉じている状態を初期状態とする。
【００３０】
先ず、第１の工程として、開閉弁３１と開閉弁４１が開放され、図４に示すように希釈液供給源３０から第１の液体ライン１１を通じて混合槽１０の混合室１０ａに希釈液が供給される。これと同時に、開閉弁６２、７０が開放され、アスピレータ１６の作用により透析原液貯留槽１３の貯留室１３ａの透析原液が吸引され、貯留室１３ａの透析原液が、第４の液体ライン１５、アスピレータ１６及び第１の液体ライン１１を通じて混合槽１０の混合室１０ａに供給される。
【００３１】
このとき、透析原液貯留槽１３の隔壁５０が貯留室１３ａ側に変位し、貯留室１３ａの最大容積から定まる一定量の透析原液が混合槽１０の混合室１０ａに供給される。図５に示すようにこの一定量の透析原液と、希釈液供給源３０から供給された希釈液により、混合槽１０の混合室１０ａが最大容積に拡張して、透析原液と希釈液で満たされ、透析原液と希釈液からなる所望の割合の透析液が生成される。また、隔壁５０の貯留室１３ａ側への変位により、透析原液貯留槽１３の貯留室１３ｂには、透析原液供給源６０から透析原液が供給される。隔壁５０は、例えば貯留室１３ｂ側の端から貯留室１３ａ側の端まで移動するので、貯留室１３ｂに供給される透析原液は、貯留室１３ａから排出された透析原液と同量になる。透析原液は、貯留室１３ａが空になると流れなくなるので、そのとき開閉弁７０、６２が閉じられる。また、混合室１０ａが満たされていくことにより、隔壁２０が混合室１０ｂ側に変位し、混合室１０ｂの透析液が第２の液体ライン１２を通じて透析器１０１側に供給される。隔壁２０は、例えば混合室１０ａ側の端から混合室１０ｂ側の端まで移動するので、混合室１０ａで生成される透析液は、混合室１０ｂから排出された透析液と同量になる。混合室１０ａが透析液で満たされ、混合室１０ｂの透析液が排出されると、開閉弁３１、４１が閉じられる。
【００３２】
次に、第２の工程として、開閉弁３２と開閉弁４０が開放され、図６に示すように希釈液供給源３０から第１の液体ライン１１を通じて混合槽１０の混合室１０ｂに希釈液が供給される。これと同時に、開閉弁６１、７１が開放され、アスピレータ１６の作用により透析原液貯留槽１３の貯留室１３ｂの透析原液が吸引され、透析原液が、第４の液体ライン１５、アスピレータ１６及び第１の液体ライン１１を通じて混合槽１０の混合室１０ｂに供給される。このとき、透析原液貯留槽１３の隔壁５０が貯留室１３ｂ側に変位し、貯留室１３ｂの一定量の透析原液が混合槽１０の混合室１０ｂに供給される。また、隔壁５０の貯留室１３ｂ側への変位により、透析原液貯留槽１３の貯留室１３ａには、透析原液供給源６０から透析原液が供給される。このとき、隔壁５０は、例えば貯留室１３ａ側の端から貯留室１３ｂ側の端まで移動するので、貯留室１３ａに供給される透析原液は、貯留室１３ｂから排出された透析原液と同量になる。貯留室１３ｂが空になると、開閉弁７１、６１が閉じられる。
【００３３】
一定量の透析原液と、希釈液供給源３０から供給された希釈液により、図７に示すように混合槽１０の混合室１０ｂが最大容積に拡張して、透析原液と希釈液で満たされ、透析原液と希釈液からなる所望の割合の透析液が生成される。また、混合室１０ｂが満たされていくことにより、隔壁２０が混合室１０ａ側に移動し、混合室１０ａの透析液が第２の液体ライン１２を通じて透析器１０１側に供給される。隔壁２０は、例えば混合室１０ｂの端から混合室１０ａ側の端まで移動するので、混合室１０ｂで生成される透析液は、混合室１０ａから排出された透析液と同量になる。混合室１０ｂが透析液で満たされ、混合室１０ａの透析液が排出されると、開閉弁３２、４０が閉じられる。こうして、図４に示した初期状態と同じ状態に戻され、この第１の工程と第２の工程からなる一連のサイクルが繰り返される。この第１の工程と第２の工程の繰り返しは、例えば連続して行われる。
【００３４】
以上の実施の形態によれば、透析原液貯留槽１３の貯留室１３ａ、１３ｂに貯留された一定量の透析原液と、希釈液供給源３０から供給される希釈液が、最大容積が一定の混合槽１０の混合室１０ａ、１０ｂに供給されて混合されるので、高精度に調整された濃度の透析液を生成できる。また、透析原液貯留槽１３の透析原液をアスピレータ１６により混合槽１０に供給できるので、構成が簡単で、制御も必要ない。したがって、簡単な装置構成及び装置制御で、高精度の濃度の透析液を生成できる。
【００３５】
第２の液体ライン１２は、透析液の供給先である血液透析装置１００の透析器１０１に接続されているので、混合槽１０の混合室１０ａ、１０ｂの透析液を交互に供給することによって、血液透析装置１００の透析を、正確な濃度の透析液を用いて好適に行うことができる。
【００３６】
また、以上の実施の形態では、混合室１０ａで透析液を生成する第１の工程と、混合室１０ｂで透析液を生成する第２の工程が交互に行われるので、透析液の生成が連続的に行われ、透析液の生成が効率的に行われる。
【００３７】
上記実施の形態で記載した透析液生成装置１は、第１の液体ライン１１に対し透析原液を供給する、第３の液体ライン１４、透析原液貯留槽１３、第４の液体ライン１５及びアスピレータ１６を有する系を複数有していてもよい。かかる場合の一例を、図８を用いて説明する。この例は、系が２つの場合であり、その一の系１２０と他の系１２１では、異なる種類の透析原液を供給する。また、この例の透析液は、例えばバイカーボ透析液のように、当該２種類の透析原液と希釈液から生成される。
【００３８】
先ず、上述の実施の形態と同様に、第１の工程として、開閉弁３１と開閉弁４１が開放され、希釈液が混合室１０ａに供給された状態で、一の系１２０の開閉弁６２、７０が開放され、一の系１２０の透析原液貯留槽１３の貯留室１３ａの透析原液が混合槽１０の混合室１０ａに供給される。このとき、貯留室１３ｂには、透析原液が供給され、混合室１０ｂの透析液は、透析器１０１側に供給される。そして、一の系１２０の貯留室１３ａの透析原液が空になると、一の系１２０の開閉弁６２、７０が閉鎖される。
【００３９】
次に、引き続き開閉弁３１と開閉弁４１が開放され、希釈液が混合室１０ａに供給された状態で、他の系１２１の開閉弁６２、７０が開放され、他の系１２１の貯留室１３ａの透析原液が混合室１０ａに供給される。このとき、貯留室１３ｂには、透析原液が供給され、混合室１０ｂの透析液は、透析器１０１側に供給される。そして、他の系１２１の貯留室１３ａの透析原液が空になると、他の系１２１の開閉弁６２、７０が閉鎖される。そして、混合室１０ａが希釈液と２種類の透析原液で満たされると、開閉弁３１、４１が閉鎖される。このように、一の系１２０による透析原液の供給と、他の系１２１による透析原液の供給が順番に行われて、混合室１０ａに各系１２０、１２１の透析原液と希釈液からなる透析液が生成される。
【００４０】
その後、混合室１０ｂで透析液を生成する第２の工程も同様に、先ず、開閉弁３２と開閉弁４０が開放され、希釈液が混合室１０ｂに供給された状態で、一の系１２０の開閉弁６１、７１が開放され、一の系１２０の貯留室１３ｂの透析原液が混合槽１０の混合室１０ｂに供給される。その後、一の系１２０の貯留室１３ｂの透析原液が空になって一の系１２０の開閉弁６１と開閉弁７１が閉鎖される。
【００４１】
その後、引き続き開閉弁３２と開閉弁４０が開放され、希釈液が混合室１０ｂに供給された状態で、他の系１２１の開閉弁６１、７１が開放され、他の系１２１の貯留室１３ｂの透析原液が混合室１０ｂに供給される。その後、他の系１２１の貯留室１３ｂの透析原液が空になると、他の系１２１の開閉弁６１、７１が閉鎖される。そして、混合室１０ｂが希釈液と２種類の透析原液で満たされると、開閉弁３２、４０が閉鎖される。このように、一の系１２０による透析原液の供給と、他の系１２１による透析原液の供給が順番に行われて、混合室１０ｂに各系１２０、１２１の透析原液と希釈液からなる透析液が生成される。
【００４２】
そして、これらの混合室１０ａで透析液を生成する第１の工程と、混合室１０ｂで透析液を生成する第２の工程が交互に連続して行われる。
【００４３】
かかる例によれば、各系１２０、１２１の第１の工程における透析原液貯留槽１３の貯留室１３ａから混合槽１０の混合室１０ａへの透析原液の供給が順次行われ、また各系１２０、１２１の第２の工程における透析原液貯留槽１３の貯留室１３ｂから混合槽１０の混合室１０ｂへの透析原液の供給が順次行われるので、各系１２０、１２１の透析原液が濃度の高い状態で互いに混ざることがなく、透析原液同士の反応を防止できる。したがって、より安定した透析液を生成できる。また、陰圧ポンプを用いないので、透析液の溶存物質が析出することもない。なお、系の数は、２つに限られず、３つ以上であってもよい。
【００４４】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。例えばライン切り替え手段は、２つの開閉弁である必要はなく、三方弁など他の構成を有するものであってもよい。また、透析液の供給先は、直接透析器である必要はなく、複数の透析用監視装置を介してそれぞれに装着された透析器に供給されるものであってもよい。
【産業上の利用可能性】
【００４５】
本発明は、簡単な装置構成や装置制御で、高精度の濃度の透析液を生成する際に有用である。
【符号の説明】
【００４６】
１  透析液生成装置
１０  混合槽
１０ａ  混合室
１０ｂ  混合室
１１  第１の液体ライン
１２  第２の液体ライン
１３  透析原液貯留槽
１３ａ  貯留室
１３ｂ  貯留室
１４  第３の液体ライン
１５  第４の液体ライン
１６  アスピレータ
２０  隔壁
３０  希釈液供給源
３１  開閉弁
３２  開閉弁
４０  開閉弁
４１  開閉弁
５０  隔壁
６０  透析原液供給源
７０  開閉弁
７１  開閉弁
７２  逆止弁
９０  制御装置
１００  血液透析装置
１０１  透析器
【図１】
0005448867.tif 000002
【図２】
0005448867.tif 000003
【図３】
0005448867.tif 000004
【図４】
0005448867.tif 000005
【図５】
0005448867.tif 000006
【図６】
0005448867.tif 000007
【図７】
0005448867.tif 000008
【図８】
0005448867.tif 000009